(57)【特許請求の範囲】
【請求項１】
アンテナを有し、複数の下りタイムスロットの一部を用いて、複数の移動局に対してブロードキャスト情報を送信する基地局であって、
前記ブロードキャスト情報を送信する下りタイムスロットに対応する上りタイムスロットにおいて、該上りタイムスロットが分割されたタイムスロットの少なくとも１つで、前記複数の移動局がそれぞれ、前記アンテナの指向性を調整するための信号を送信することができるように通信チャネルを割り当てる通信チャネル割当手段と、
前記移動局から前記割り当てられた通信チャネルを使用して送信される前記アンテナの指向性を調整するための信号を受信したときに、該移動局に対して前記アンテナの指向性を調整する指向性調整手段とを有することを特徴とする基地局。
【請求項２】
前記通信チャンネル割当手段は、前記移動局に、前記分割されたタイムスロットと、当該分割されたタイムスロットに対応する符号分割多重接続におけるコードと、の少なくとも一方が他の移動局と異なるよう通信チャネルを割り当てる、
ことを特徴とする請求項１に記載の基地局。
【請求項３】
前記通信チャンネル割当手段は、前記移動局が使用する通信チャネルの情報を該移動局へ通知することを特徴とする請求項１又は２に記載の基地局。
【請求項４】
前記通信チャンネル割当手段は、前記通信チャンネルの空き状況の情報を該移動局へ通知することを特徴とする請求項１乃至３のいずれかに記載の基地局。
【請求項５】
前記指向性調整手段は、複数のアンテナの指向性を調整することを特徴とする請求項１乃至４のいずれかに記載の基地局。
【請求項６】
前記通信チャンネル割当手段は、前記移動局からの前記アンテナの指向性を調整するための所定の信号の数が第２の閾値に達した場合に、前記移動局に割り当て済みのブロードキャスト信号用の通信チャンネルの一部を、新たにブロードキャストサービスを受けようとする移動局に振り替えることを特徴とする請求項１乃至５のいずれかに記載の基地局。
【請求項７】
前記指向性調整手段は、自局がブロードキャストサービスのサービスエリアの外周部に位置する場合に、前記サービスエリアの外側に位置する移動局、前記サービスエリアの外周部の以外の基地局のセルから自局のセルに移動する移動局、及び、マルチパス環境下に存在する移動局の順に、前記アンテナの指向性を調整することを特徴とする請求項１乃至６のいずれかに記載の基地局。
【請求項８】
基地局からのブロードキャスト情報を受信する移動局であって、
前記ブロードキャスト情報を受信する下りタイムスロットに対応する上りタイムスロットにおいて、該上りタイムスロットが分割されたタイムスロットの少なくとも１つで、前記基地局のアンテナの指向性を調整するための信号を送信する送信手段を有する、
ことを特徴とする移動局。
【請求項９】
前記送信手段は、前記分割されたタイムスロットと、当該分割されたタイムスロットに対応する符号分割多元接続におけるコードと、の少なくとも一方が他の移動局と異なるよう割り当てられる通信チャネルで、前記基地局のアンテナの指向性を調整するための信号を送信する、
ことを特徴とする請求項８に記載の移動局。
【請求項１０】
複数の移動局と、アンテナを有し、前記複数の移動局に対してブロードキャスト情報を送信する基地局と、を具備する移動体通信システムにおいて、
前記基地局は、
前記ブロードキャスト情報を送信する下りタイムスロットに対応する上りタイムスロットにおいて、該上りタイムスロットが分割されたタイムスロットの少なくとも１つで、前記複数の移動局がそれぞれ、前記アンテナの指向性を調整するための信号を送信することができるように通信チャネルを割り当てる通信チャネル割当手段を有し、
前記移動局は、
前記割り当てられた前記通信チャネルを使用して前記アンテナの指向性を調整するための信号を送信する送信手段を有し、
前記基地局は、更に、
前記移動局から送信される、前記通信チャネルを使用した前記アンテナの指向性を調整するための信号を受信したときに、該移動局に対して前記アンテナの指向性を調整する指向性調整手段とを有する、
ことを特徴とする移動体通信システム。
【請求項１１】
前記基地局の前記通信チャネル割当手段は、
前記移動局に、前記配信情報を送信する下りタイムスロットに対応する上りタイムスロットを分割し、かつ、当該分割されたタイムスロットと、当該分割されたタイムスロットに対応する符号分割多元接続におけるコードと、の少なくとも一方が他の移動局と異なるよう通信チャネルを割り当てる、
ことを特徴とする請求項１０に記載の移動体通信システム。
【発明の詳細な説明】
【技術分野】
【０００１】
本発明は、アンテナを有し、複数の移動局に対してブロードキャストサービスを提供する基地局、及び移動局並びに移動体通信システムに関する。
【背景技術】
【０００２】
無線インターフェースに時分割複信（ＴＤＤ）方式及び時分割多元接続（ＴＤＭＡ）が採用され、アダプティブアレイ方式のアンテナを基地局に備えた通信システムにおいて、移動局に対してブロードキャストサービスを提供する際に問題となるのが、アンテナが多いほど、指向性のパターンに谷ができてしまうことである。
【０００３】
このため、基地局は、通信チャンネルであるタイムスロット内においてアンテナの指向性を若干変化させることで、指向性のパターンに谷ができることを抑制するとともに、ブロードキャストによって送信するデータについては、同一のタイムスロット内において複数回送信することによって、指向性のパターンに谷ができることによる通信品質の劣化を抑制している。
【０００４】
例えば、特許文献１では、基地局は、報知情報としてのページング情報を複数回送信し、アンテナの指向性を変化させることで、指向性のパターンに谷ができてしまうことによる通信品質の劣化を回避している。しかし、ページング情報の複数回の送信は、データレートの低下を招く。このため、移動局は、ユニキャストの信号を受信する場合と同様に、基地局へ向かう上りのタイムスロットを使用して、アンテナの指向性を調整するためのトレーニング信号を送信する。一方、このトレーニング信号を受信した基地局は、アンテナの指向性の調整（アダプティブアレイの最適化）を行う。
【特許文献１】特表２００４−５１１１４１号公報
【発明の開示】
【発明が解決しようとする課題】
【０００５】
しかしながら、複数の移動局がトレーニング信号を送信すると、当該トレーニング信号の衝突が発生する可能性がある。このようなトレーニング信号の衝突を回避するために、従来、図１０に示すように、基地局は、ＥＳＮ（Electric Serial Number）やＭＥＩＤ（ Mobile Equipment ID）等の移動局固有番号から乱数を発生させ、その乱数を用いて、タイムスロットと、そのタイムスロットに対応する符号拡散多元接続（ＣＤＭＡ）のコード（トレーニングコード）とを、移動局に割り当てる、トレーニング信号用の通信チャンネル（ＴＲ）として選択する。
【０００６】
ところが、このような処理においてもなお、移動局の数が増えると、トレーニング信号の衝突が発生する。この場合、基地局は、いずれか１の移動局以外の他の移動局からのトレーニング信号については妨害信号とみなし、この妨害信号による通信品質の劣化を抑制するためのアダプティブアレイの制御を行ってしまい、他の移動局における通信品質はかえって劣化してしまう。
【０００７】
本発明は、上述したような問題点を解決するためになされたものであり、本発明の目的は、移動局間で信号の衝突を回避しつつ、移動局に対してブロードキャストサービスを良好な品質で提供する基地局、及び移動局並びに移動体通信システムを提供することにある。
【課題を解決するための手段】
【０００８】
本発明は、アンテナを有し、複数の下りタイムスロットの一部を用いて、複数の移動局に対してブロードキャスト情報を送信する基地局であって、前記ブロードキャスト情報を送信する下りタイムスロットに対応する上りタイムスロットにおいて、該上りタイムスロットが分割されたタイムスロットの少なくとも１つで、前記複数の移動局がそれぞれ、前記アンテナの指向性を調整するための信号を送信することができるように通信チャネルを割り当てる通信チャネル割当手段と、前記移動局から前記割り当てられた通信チャネルを使用して送信される前記アンテナの指向性を調整するための信号を受信したときに、該移動局に対して前記アンテナの指向性を調整する指向性調整手段とを有することを特徴とする。
また、本発明の基地局は、前記通信チャンネル割当手段が、前記移動局に、前記分割されたタイムスロットと、当該分割されたタイムスロットに対応する符号分割多重接続におけるコードと、の少なくとも一方が他の移動局と異なるよう通信チャネルを割り当てるようにしてもよい。
【０００９】
この構成によれば、各移動局には異なる通信チャンネルが割り当てられるため、各移動局がその割り当てられた通信チャンネルを用いてアンテナの指向性を調整するための所定の信号を送信しても衝突が回避され、各移動局に対するアンテナの指向性の調整が適切に行われる。
【００１０】
また、本発明の基地局は、前記通信チャンネル割当手段が、前記移動局が使用する通信チャネルの情報を該移動局へ通知するようにしてもよい。
【００１１】
また、本発明の基地局は、前記通信チャンネル割当手段が、前記通信チャンネルの空き状況の情報を該移動局へ通知するようにしてもよい。
【００１２】
また、本発明の基地局は、前記通信チャンネル割当手段が、時分割多元接続におけるタイムスロットと、該タイムスロットに対応する符号分割多元接続におけるコードに基づいて特定される通信チャンネルを割り当てるようにしてもよい。
【００１３】
また、本発明の基地局は、前記指向性調整手段が、複数のアンテナの指向性を調整するようにしてもよい。
【００１４】
また、本発明の基地局は、前記指向性調整手段が、他の基地局によって受信される前記移動局からの前記アンテナの指向性を調整するための所定の信号の数が第１の閾値に達した場合に、該第１の閾値を超える数の移動局に対して前記アンテナの指向性を調整するようにしてもよい。
【００１５】
この構成によれば、基地局は、他の基地局によるアンテナの指向性の調整を受けることができない移動局に対して、アンテナの指向性を調整することにより、その移動局に対してブロードキャストサービスを提供することができ、通信システム全体でブロードキャストサービスを受ける移動局数を増加させることができる。
【００１６】
また、本発明の基地局は、前記通信チャンネル割当手段が、前記移動局からの前記アンテナの指向性を調整するための所定の信号の数が第２の閾値に達した場合に、前記移動局に割り当て済みの通信チャンネルの一部を、新たにブロードキャストサービスを受けようとする移動局に振り替えるようにしてもよい。
【００１７】
この構成によれば、基地局は、移動局に割り当て済みのブロードキャスト信号用の通信チャンネルの一部を、新たにブロードキャストサービスを受けようとする移動局に振り替えることにより、ブロードキャストサービスを受ける移動局数を増加させることができる。
【００１８】
また、本発明の基地局は、記指向性調整手段は、自局がブロードキャストサービスのサービスエリアの外周部に位置する場合に、前記サービスエリアの外側に位置する移動局、前記サービスエリアの外周部の以外の基地局のセルから自局のセルに移動する移動局、及び、マルチパス環境下に存在する移動局の順に、前記アンテナの指向性を調整するようにしてもよい。
【００１９】
この構成によれば、基地局は、アンテナの指向性を調整する対象の移動局を適切な優先順位で選択することにより、通信システム全体でブロードキャストサービスを受ける移動局数を増加させることができる。
【００２０】
また、本発明は、基地局からのブロードキャスト情報を受信する移動局であって、前記ブロードキャスト情報を受信する下りタイムスロットに対応する上りタイムスロットにおいて、該上りタイムスロットが分割されたタイムスロットの少なくとも１つで、前記基地局のアンテナの指向性を調整するための信号を送信する手段を有することを特徴とする。
また、本発明の移動局は、前記送信手段が、前記分割されたタイムスロットと、当該分割されたタイムスロットに対応する符号分割多元接続におけるコードと、の少なくとも一方が他の移動局と異なるよう割り当てられる通信チャネルで、前記基地局のアンテナの指向性を調整するための信号を送信するようにしてもよい。
【００２１】
また、本発明の移動体通信システムは、複数の移動局と、アンテナを有し、前記複数の移動局に対してブロードキャスト情報を送信する基地局と、を具備する移動体通信システムにおいて、前記基地局は、前記ブロードキャスト情報を送信する下りタイムスロットに対応する上りタイムスロットにおいて、該上りタイムスロットが分割されたタイムスロットの少なくとも１つで、前記複数の移動局がそれぞれ、前記アンテナの指向性を調整するための信号を送信することができるように通信チャネルを割り当てる通信チャネル割当手段を有し、前記移動局は、前記割り当てられた前記通信チャネルを使用して前記アンテナの指向性を調整するための信号を送信する送信手段を有し、前記基地局は、更に、前記移動局から送信される、前記通信チャネルを使用した前記アンテナの指向性を調整するための信号を受信したときに、該移動局に対して前記アンテナの指向性を調整する指向性調整手段とを有することを特徴とする。
【００２２】
また、前記移動体通信システムは、前記基地局の前記通信チャネル割当手段が、前記移動局に、前記配信情報を送信する下りタイムスロットに対応する上りタイムスロットを分割し、かつ、当該分割されたタイムスロットと、当該分割されたタイムスロットに対応する符号分割多元接続におけるコードと、の少なくとも一方が他の移動局と異なるよう通信チャネルを割り当てるようにしてもよい。
【発明の効果】
【００２３】
本発明によれば、各移動局がアンテナの指向性を調整するための所定の信号を送信しても衝突が回避され、各移動局に対するアンテナの指向性の調整が適切に行われることによって、ブロードキャストサービスを良好な品質で提供することができる。
【発明を実施するための最良の形態】
【００２４】
図１は、本発明の実施形態に係る通信システム（移動体通信システム）の構成を示す図である。図１に示す通信システム１では、基地局１００が複数の移動局２００に対してブロードキャストサービスを提供する。
【００２５】
図２は、基地局１００の構成を示す図である。図２に示す基地局１００は、複数のアンテナ１０２と、当該アンテナ１０２及び外部のネットワーク１５０に接続される送受信回路１０４と、通信チャンネル割当部及び指向性調整部の機能を有する制御回路１０６とにより構成される。図３は、基地局１００におけるアンテナ１０２の配置及び指向性のパターンの一例である。図３では、８本のアンテナ１０２が円状に配置されており、各アンテナ１０２は、外側に向かう指向性を有する。各アンテナ１０２は、移動局２００に対する指向性の調整（アダプディブアレイの最適化）がなされる。
【００２６】
図４は、通信システム１において適用される通信チャンネル構造を示す図である。図４は、ＴＤＤ−ＴＤＭＡ通信方式における通信チャンネル構造であり、５ｍｓで１フレームが構成される。１フレームは６つのタイムスロットに分割されている。前半の３つのタイムスロットは、上りチャンネルに対応する上り通信用のタイムスロット（上りスロット）であり、後半の３つのタイムスロットは、下りチャンネルに対応する下り通信用のタイムスロット（下りスロット）である。図４のチャネル構造では、下り通信の速度を得るために、下りスロットの長さが上りスロットより長く設定されている。
【００２７】
３つの下りスロットのうち、通常、上りスロットから最も離れた３番目の下りスロットは、ブロードキャストに用いられるタイムスロット（ブロードキャストスロット）である。このブロードキャストスロットの対となる３番目の上りスロットは、アンテナの指向性を調整するためのトレーニング信号の送信に用いられる。この上りスロットは、複数のトレーニング信号用のＴＤＭＡのタイムスロット（トレーニングスロット）に分割され、更に、各トレーニングスロットは、複数のトレーニング信号用のＣＤＭＡのコード（トレーニングコード）を含む。
【００２８】
以下、通信システム１の処理についての第１実施例及び第２実施例を説明する。
【００２９】
（第１実施例）
図５は、第１実施例における基地局１００の処理を説明する図である。基地局１００内の制御回路１０６は、新たにブロードキャストサービスを受けようとしている移動局２００が使用すべき通信チャンネルであるトレーニングスロットの番号及びトレーニングコードを含んだ報知情報を、ブロードキャストスロットを使用して、送受信回路１０４及びアンテナ１０２を介して送信する。
【００３０】
新たにブロードキャストサービスを受けようとしている移動局２００は、基地局１００からの報知情報に基づいて、使用すべきトレーニングスロット及びトレーニングコードを特定し、その特定したトレーニングスロット及びトレーニングコードを使用してトレーニング信号の送信を開始する。基地局１００内の送受信回路１０４が、アンテナ１０２を介してトレーニング信号を受信すると、制御回路１０６は、アンテナ１０２について、送信元の移動局２００に対する指向性の調整（アダプディブアレイの最適化）を行う。更に、制御回路１０６は、送信元の移動局２００にブロードキャストスロットを割り当てる。その後、送受信回路１０４は、そのブロードキャストスロットを使用して、ネットワーク１５０からのブロードキャスト信号の送信を行う。これにより、移動局２００は、ブロードキャストサービスを良好な品質で受けることができる。
【００３１】
基地局１００内の制御回路１０６は、図５に示すように、トレーニングスロットとトレーニングコードとのマトリックスを保持している。また、制御回路１０６は、移動局２００が上り通信に使用しているトレーニングスロットとトレーニングコードとを保持している。移動局２００が上り通信に使用しているトレーニングスロットとトレーニングコードとは、マトリックスの網掛け部分に対応する。
【００３２】
移動局２００は、ブロードキャストサービスの品質が所望のレベルに達しない場合（例えば、受信信号のレベルが所定値以下の場合）、その時点でのトレーニングスロット及びトレーニングコードを使用したトレーニング信号の送信を中止し、別のトレーニングスロット及びトレーニングコードを使用したトレーニング信号の送信を開始する。
【００３３】
ブロードキャストスロットは、報知情報を含む部分と、ブロードキャストペイロードを含む部分とからなる。基地局１００内の送受信回路１０４は、アンテナ１０２を介して、報知情報を、異なるアダプティブアレイパターンにより、複数回繰り返して送信する。また、送受信回路１０４は、アンテナ１０２を介して、ブロードキャストペイロードを、移動局２００からのトレーニング信号に基づく最適なアダプティブアレイパターンにより送信する。
【００３４】
（第２実施例）
図６は、第２実施例における基地局１００の処理を説明する図である。基地局１００内の制御回路１０６は、通信チャンネルであるトレーニングスロット及びトレーニングコードの空き状況を含んだ報知情報を、ブロードキャストスロットを使用して、送受信回路１０４及びアンテナ１０２を介して送信する。
【００３５】
新たにブロードキャストサービスを受けようとしている移動局２００は、基地局１００からの報知情報に基づいて、他の移動局２００が使用していないトレーニングスロット及びトレーニングコードを特定し、その特定したトレーニングスロット及びトレーニングコードのいずれかを使用してトレーニング信号の送信を開始する。基地局１００内の送受信回路１０４が、アンテナ１０２を介してトレーニング信号を受信すると、制御回路１０６は、アンテナ１０２について、送信元の移動局２００に対するアダプディブアレイの最適化を行う。更に、制御回路１０６は、送信元の移動局２００にブロードキャストスロットを割り当てる。その後、送受信回路１０４は、そのブロードキャストスロットを使用して、ネットワーク１５０からのブロードキャスト信号の送信を行う。これにより、移動局２００は、ブロードキャストサービスを良好な品質で受けることができる。
【００３６】
基地局１００の制御回路１０６は、図６に示すように、トレーニングスロットとトレーニングコードとのマトリックスを保持している。また、制御回路１０６は、移動局２００が上り通信に使用しているトレーニングスロットとトレーニングコードとを保持している。
【００３７】
移動局２００は、ブロードキャストサービスの品質が所望のレベルに達しない場合（例えば、受信信号のレベルが所定値以下の場合）、その時点でのトレーニングスロット及びトレーニングコードを使用したトレーニング信号の送信を中止し、別のトレーニングスロット及びトレーニングコードを使用したトレーニング信号の送信を開始する。
【００３８】
ブロードキャストスロットは、図６に示すように、報知情報を含む部分と、ブロードキャストペイロードを含む部分とからなる。基地局１００は、報知情報を、異なるアダプティブアレイパターンにより、複数回繰り返して送信する。一方、基地局１００は、ブロードキャストペイロードを、移動局２００からのトレーニング信号に基づく最適なアダプティブアレイパターンにより送信する。
【００３９】
上述した第１実施例又は第２実施例の処理とともに、以下の処理が行われる。基地局１００が受信する各移動局２００からのトレーニング信号の数がアンテナの本数から１差し引いた値に達した場合は、基地局１００は、移動局２００の一部に対して、ブロードキャストサービスを提供することができなくなる。
【００４０】
この場合には、以下のようなアダプディブアレイの最適化処理が行われる。図７において、基地局１００ａが受信する各移動局２００からのトレーニング信号の数がアンテナの本数から１差し引いた値に達した場合は、その基地局１００ａに隣接する他の基地局１００ｂ内の制御回路１０６が、アンテナ１０２及び送受信回路１０４を介して、いくつかの移動局２００からのトレーニング信号を受信し、その移動局２００に対するアダプディブアレイの最適化を行って、その後、送受信回路１０４がアンテナ１０２を介してブロードキャストスロットを使用したブロードキャスト信号の送信を行う。すなわち、基地局１００ａが一部の移動局２００にブロードキャストサービスを提供することができなくなった場合、他の基地局１００ｂ、１００ｃが、一部の移動局２００に対するブロードキャストサービスを担当することになる。
【００４１】
あるいは、基地局１００内の制御回路１０６は、既にブロードキャストサービスを受けている他の移動局２００の一部に割り当てられているブロードキャストスロットを、その新たにブロードキャストサービスを受けようとしている移動局２００に振り替える。これにより、移動局２００においては、ブロードキャストサービスの品質が若干低下するものの、ブロードキャストサービスを受ける移動局２００の数を増加させることができる。
【００４２】
なお、このようなブロードキャストスロットの振替を実現するためには、トレーニング信号の時間的空間及び符号的空間がアダプティブアレイのリソースに対して十分な余裕を有していることが必要となる。また、既にブロードキャストサービスを受けている他の移動局２００に割り当てられるブロードキャストスロットが減少することによって、データの消失が生じるため、インターリーブ等によってデータの回復を図ることが望ましい。
【００４３】
図８は、ブロードキャストスロットの振替処理を説明する図である。図８に示すように、移動局２００ａ、２００ｂ、２００ｃ及び２００ｄのそれぞれに５つのブロードキャストスロットが割り当てられている状態において、新たに移動局２００ｅがブロードキャストサービスを受けようとした場合、基地局１００内の制御回路１０６は、移動局２００ａ乃至２００ｄのそれぞれに割り当てられているブロードキャストスロットを１つずつ移動局２００ｅに振り替える。これによって、移動局２００ａ乃至２００ｅのそれぞれには、４つのブロードキャストスロットが割り当てられることになる。
【００４４】
次に、基地局１００によるアンテナ指向性の調整の対象となる移動局２００の選択処理について説明する。図９は、基地局１００によるアンテナ指向性の調整の対象となる移動局２００の選択処理を説明する図である。図９における、斜線部のセルは、サービスエリアの外周部の基地局１００ａのセルであり、ドット部のセルは、サービスエリアの外周部の以外の基地局１００ｂのセルである。
【００４５】
サービスエリアの外周部の基地局１００ａは、サービスエリアの外側に位置する移動局２００ａに対してもアダプティブアレイの最適化によって通信を行うことができる。この場合、ブロードキャストサービスにおいては、基地局１００ａ内の制御回路１０６は、移動局２００ａが送信するトレーニング信号を、アンテナ１０２及び送受信回路１０４を介して受信すると、当該移動局２００に対してアダプティブアレイの最適化を行う。これにより、移動局２００ａは、基地局１００ａからのブロードキャスト信号を受信することができる。
【００４６】
なお、サービスエリアの外側に位置する移動局２００ａは、サービスエリアの外周部の１つの基地局１００ａのみと通信可能である場合がある。この場合には、上述したような基地局１００ａ以外の他の基地局が、移動局２００ａからのトレーニング信号を受信して、ブロードキャスト信号を送信するといった処理を行うことはできない。このため、基地局１００ａ内の制御回路１０６は、各移動局２００からのトレーニング信号の数がアンテナの本数から１差し引いた値に達した場合は、トレーニング信号の送信元の移動局２００に優先順位をつけて、アダプティブアレイの最適化を行い、その後、送受信回路１０４がアンテナ１０２を介してブロードキャスト信号を送信する。
【００４７】
優先順位は、以下のように定められる。すなわち、サービスエリアの外周部の基地局１００ａ内の制御回路１０６は、サービスエリアの外側に位置する移動局２００ａ、サービスエリアの外周部の以外の基地局１００ｂのセルから自局のセルに移動しつつある移動局２００ｂ、遅延波が多く存在し、明らかに都市等のマルチパス環境下に存在すると考えられる移動局２００ｃ、その他の移動局２００ｄの順に、アダプティブアレイの最適化を行う。
【００４８】
このように、本実施形態の通信システム１では、基地局１００は、新たにブロードキャストサービスを受けようとしている移動局２００が使用すべきトレーニングスロットの番号及びトレーニングコードを含んだ報知情報、あるいは、トレーニングスロット及びトレーニングコードの空き状況を含んだ報知情報を、ブロードキャストスロットを使用して送信し、移動局２００は、この報知情報に基づいて特定されるトレーニングスロット及びトレーニングコードのいずれかを使用してトレーニング信号を送信する。そして、基地局１００は、ブロードキャストサービスを受ける移動局２００に対して、当該移動局２００からのトレーニング信号の受信に応じて、アダプティブアレイの最適化を行っており、移動局２００間でトレーニング信号の衝突を抑制しつつ、各移動局２００に対して、ブロードキャストサービスを良好な品質で提供することができる。
【産業上の利用可能性】
【００４９】
以上、説明したように、本発明に係る基地局は、移動局間でアンテナの指向性を調整するための所定の信号の衝突を抑制しつつ、移動局に対してブロードキャストサービスを良好な品質で提供することができ、基地局として有用である。
【図面の簡単な説明】
【００５０】
【図１】通信システムの構成を示す図である。
【図２】基地局の構成を示す図である。
【図３】アンテナの配置及び指向性のパターンの一例である。
【図４】通信チャンネル構造を示す図である。
【図５】第１実施例における基地局の処理を説明する図である。
【図６】第２実施例における基地局の処理を説明する図である。
【図７】アダプディブアレイの最適化処理を説明する図である。
【図８】ブロードキャストスロットの振替処理を説明する図である。
【図９】アンテナ指向性の調整の対象となる移動局の選択処理を説明する図である。
【図１０】従来の基地局の処理を説明する図である。
【符号の説明】
【００５１】
１  通信システム、１００  基地局、１０２  アンテナ、１０４  送受信回路、１０６  制御回路、２００  移動局。
【図１】
0004732175.tif 000002
【図２】
0004732175.tif 000003
【図３】
0004732175.tif 000004
【図４】
0004732175.tif 000005
【図５】
0004732175.tif 000006
【図６】
0004732175.tif 000007
【図７】
0004732175.tif 000008
【図８】
0004732175.tif 000009
【図９】
0004732175.tif 000010
【図１０】
0004732175.tif 000011